(57)【特許請求の範囲】
【請求項１】
光源装置と、
外装を構成する外装筐体と、を備え、
前記外装筐体は、
前記光源装置が挿抜される開口部を有し、前記光源装置を収容する筐体本体と、
前記開口部を開閉する蓋部材と、を有し、
前記蓋部材は、
前記外装の一部を構成する第１蓋部材と、
前記第１蓋部材に固定され、前記開口部内に配置される第２蓋部材と、
前記第１蓋部材に前記第２蓋部材を固定する第１固定部材と、
前記第１固定部材を覆う被覆部材と、
前記被覆部材を前記第２蓋部材に固定する第２固定部材と、を備え、
前記第２蓋部材は、前記第１蓋部材より耐熱性が高い材料によって形成されていることを特徴とするプロジェクター。
【請求項２】
請求項１に記載のプロジェクターにおいて、
前記第１蓋部材は、前記第１固定部材によって前記第２蓋部材を固定する固定部を複数有し、
前記被覆部材は、前記固定部に応じて複数設けられることを特徴とするプロジェクター。
【請求項３】
請求項２に記載のプロジェクターにおいて、
複数の前記被覆部材のうち、前記光源装置を冷却する冷却気体の流路における下流側の部位に応じて配置される第１被覆部材は、上流側の部位に応じて配置される第２被覆部材より熱容量が大きいことを特徴とするプロジェクター。
【請求項４】
請求項３に記載のプロジェクターにおいて、
前記第１被覆部材は、前記第２被覆部材に比べて前記開口部の内側から見た場合の寸法が大きいことを特徴とするプロジェクター。
【請求項５】
請求項１から請求項４のいずれか一項に記載のプロジェクターにおいて、
前記第２蓋部材の色は、暗色であることを特徴とするプロジェクター。
【請求項６】
請求項１から請求項５のいずれか一項に記載のプロジェクターにおいて、
前記外装筐体は、前記筐体本体と組み合わされて前記開口部の端縁の少なくとも一部を形成する中間部材を備え、
前記中間部材は、前記筐体本体より耐熱性が高い材料により形成され、
前記中間部材と前記筐体本体との間には、隙間部が形成され、
前記第２蓋部材は、前記隙間部に挿入される挿入部を有することを特徴とするプロジェクター。
【請求項７】
請求項６に記載のプロジェクターにおいて、
前記中間部材は、前記第１蓋部材より耐熱性が高い材料により形成されていることを特徴とするプロジェクター。
【請求項８】
請求項６又は請求項７に記載のプロジェクターにおいて、
前記蓋部材は、前記筐体本体に対してスライドさせることにより前記筐体本体に取り付けられ、
前記中間部材は、前記蓋部材のスライドをガイドするガイド部を有することを特徴とするプロジェクター。
【請求項９】
請求項６から請求項８のいずれか一項に記載のプロジェクターにおいて、
前記中間部材の色は、暗色であることを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像を投射する投射光学装置と、を備えたプロジェクターが知られている。このようなプロジェクターに採用される光源装置として、発光管及び反射鏡を有する光源装置が採用される場合がある。このような光源装置に用いられる発光管は、寿命等により点灯できなくなる。このため、光源装置を交換可能に構成されたプロジェクターが知られている（例えば、特許文献１参照）。
【０００３】
この特許文献１に記載のプロジェクターは、高圧水銀ランプを光源として有する光源装置を備え、当該光源装置は、プロジェクター内に配置されている。このプロジェクターにおいては、プロジェクターから外装カバーを取り外し、当該外装カバーの内側に配置された防火カバーを更に取り外すと、プロジェクター内の光源装置が露出する。これにより、当該光源装置の交換が可能となる。
【先行技術文献】
【特許文献】
【０００４】
【特許文献１】特開２０１４−５２６１２号公報
【発明の概要】
【発明が解決しようとする課題】
【０００５】
しかしながら、上記特許文献１に記載のプロジェクターでは、光源装置を交換する際に、外装カバー及び防火カバーのそれぞれを個別にプロジェクターから取り外す必要があり、当該光源装置の交換作業が煩雑であるという問題がある。
これに対し、例えば、外装カバーと防火カバーとを、一体化することが考えられる。
【０００６】
ここで、外装カバーは、外観を良好にするために、プロジェクターの外装筐体と同様の材料により形成されることが好ましく、外装カバーに採用される材料は制限される。
このことから、例えば、防火カバーが外装カバーに開口部側からねじにより固定されると、ねじに伝導された熱によって、外装カバーにおける当該ねじの固定部分が変形する可能性がある。この場合、防火カバーが外装カバーから脱落し、上記問題が再度発生する。
このような問題から、光源装置の交換作業を簡略化できる構成が要望されてきた。
【０００７】
本発明は、上記課題の少なくとも一部を解決することを目的としたものであり、光源装置の交換作業を簡略化できるプロジェクターを提供することを目的の１つとする。
【課題を解決するための手段】
【０００８】
本発明の一態様に係るプロジェクターは、光源装置と、外装を構成する外装筐体と、を備え、前記外装筐体は、前記光源装置が挿抜される開口部を有し、前記光源装置を収容する筐体本体と、前記開口部を開閉する蓋部材と、を有し、前記蓋部材は、前記外装の一部を構成する第１蓋部材と、前記第１蓋部材に固定され、前記開口部内に配置される第２蓋部材と、前記第１蓋部材に前記第２蓋部材を固定する第１固定部材と、前記第１固定部材を覆う被覆部材と、前記被覆部材を前記第２蓋部材に固定する第２固定部材と、を備え、前記第２蓋部材は、前記第１蓋部材より耐熱性が高い材料によって形成されていることを特徴とする。
【０００９】
なお、第１固定部材及び第２固定部材としては、ねじ等の固定具を例示できる。
上記一態様によれば、光源装置と第１蓋部材との間に第２蓋部材が介在するので、第１蓋部材に光源装置から出射された光の一部が入射されたり、光源装置の熱が伝わったりすることを抑制できる。従って、第１蓋部材に変形及び変色が生じることを抑制できる。
ここで、第１固定部材に光が入射されたり、光源装置の熱が伝導されたりして、当該第１固定部材が加熱されると、上記のように、第１固定部材の熱が第１蓋部材における第１固定部材の固定部位に伝導され、当該固定部位が変形し、第２蓋部材が第１蓋部材から脱落する可能性がある。
これに対し、第１固定部材は、被覆部材によって覆われるので、当該第１固定部材への光の入射及び熱の伝導を抑制できる。従って、上記固定部位の変形を抑制でき、第２蓋部材の脱落を抑制できる。
そして、第２固定部材によって被覆部材が固定される第２蓋部材は、第１蓋部材より耐熱性の高い材料によって形成されている。このため、第２蓋部材における第２固定部材の固定部位が熱によって変形することを抑制できる。従って、第２蓋部材からの被覆部材の脱落を抑制できる。
よって、上記構成が一体化された蓋部材により上記開口部を容易に開閉できるので、光源装置の交換作業を簡略化できる。
【００１０】
上記一態様では、前記第１蓋部材は、前記第１固定部材によって前記第２蓋部材を固定する固定部を複数有し、前記被覆部材は、前記固定部に応じて複数設けられることが好ましい。
このような構成によれば、１つの被覆部材が複数の固定部を覆う場合に比べて、第２蓋部材に設けられる被覆部材の面積を小さくすることができる。従って、被覆部材を有する蓋部材を軽量化でき、ひいては、プロジェクターの重量増加を抑制できる。
【００１１】
上記一態様では、複数の前記被覆部材のうち、前記光源装置を冷却する冷却気体の流路における下流側の部位に応じて配置される第１被覆部材は、上流側の部位に応じて配置される第２被覆部材より熱容量が大きいことが好ましい。
ここで、上記流路における下流側の部位は、上流側の部位より温度が高い。このため、光源装置に対向する第２蓋部材において、当該下流側の部位に応じた部位は、上流側の部位に応じた部位に比べて温度が高くなりやすい。
これに対し、上記構成によれば、上記下流側の部位に応じて配置される第１被覆部材は、上流側の部位に応じて配置される第２被覆部材より熱容量が大きいので、当該第１被覆部材の温度を上昇させにくくすることができる。従って、第１被覆部材を介して第２蓋部材に熱を伝わりにくくすることができ、当該第２蓋部材の変形や、第１被覆部材の脱落を抑制できる。なお、第２被覆部材は、上記下流側の部位より温度が低い上流側の部位に応じて配置されるので、熱容量が第１被覆部材より小さくても、当該第２被覆部材の温度上昇を抑制できる。従って、第２被覆部材の脱落を抑制できる。
【００１２】
上記一態様では、前記第１被覆部材は、前記第２被覆部材に比べて前記開口部の内側から見た場合の寸法が大きいことが好ましい。
このような構成によれば、第１被覆部材の熱容量を、第２被覆部材の熱容量より容易に大きくすることができる。従って、熱容量を異ならせるために、第１被覆部材及び第２被覆部材を異なる材料により形成する場合に比べて、これら被覆部材を簡易に構成できる。
【００１３】
上記一態様では、前記第２蓋部材の色は、暗色であることが好ましい。
このような構成によれば、第２蓋部材に、光源装置から出射された光の一部が入射される場合に、当該光が散乱することを抑制できる。従って、当該光が第１蓋部材側に進行して、第１蓋部材と開口部の端縁との隙間から外装筐体の外部に光が漏出することを抑制できる。
【００１４】
上記一態様では、前記外装筐体は、前記筐体本体と組み合わされて前記開口部の端縁の少なくとも一部を形成する中間部材を備え、前記中間部材は、前記筐体本体より耐熱性が高い材料により形成され、前記中間部材と前記筐体本体との間には、隙間部が形成され、前記第２蓋部材は、前記隙間部に挿入される挿入部を有することが好ましい。
このような構成によれば、開口部の端縁の少なくとも一部は、筐体本体より耐熱性が高い中間部材により形成される。これによれば、光源装置の熱によって、開口部の端縁が変形することを抑制できる。
また、中間部材と筐体本体との間に形成される隙間部に、第２蓋部材の挿入部が挿入されるので、当該挿入部により、第１蓋部材側に進行する光を遮蔽できる。従って、当該光が外装筐体の外部に漏出することを抑制できる。この他、当該中間部材を筐体本体に組み合わせることによって、当該挿入部が挿入される隙間部を簡易に形成できる。
【００１５】
上記一態様では、前記中間部材は、前記第１蓋部材より耐熱性が高い材料により形成されていることが好ましい。
このような構成によれば、上記第２蓋部材とともに、中間部材は、第１蓋部材より耐熱性が高い材料により形成されている。これによれば、これら第２蓋部材及び中間部材の変形を抑制でき、これらの隙間から光が第１蓋部材側に進行することを抑制できる。また、これにより、第１蓋部材を形成する材料の選択自由度を高めることができる。
【００１６】
上記一態様では、前記蓋部材は、前記筐体本体に対してスライドさせることにより前記筐体本体に取り付けられ、前記中間部材は、前記蓋部材のスライドをガイドするガイド部を有することが好ましい。
このような構成によれば、蓋部材を筐体本体に対してスライドさせることにより、上記隙間部への上記挿入部の挿入と、筐体本体への蓋部材の取付とを確実かつ容易に実施できる。従って、筐体本体に対する蓋部材の着脱、ひいては、開口部の開閉を容易に実施でき、光源装置の交換作業を簡略化できる。
【００１７】
上記一態様では、前記中間部材の色は、暗色であることが好ましい。
このような構成によれば、上記第２蓋部材の場合と同様に、光源装置から出射された光の一部が中間部材に入射される場合に、当該中間部材に入射される光の散乱を抑制できる。従って、第１蓋部材側に光が進行することを抑制でき、当該第１蓋部材と開口部の端縁との隙間から光が外装筐体の外部に漏出することを抑制できる。
【図面の簡単な説明】
【００１８】
【図１】本発明の一実施形態に係るプロジェクターの外観を示す斜視図。
【図２】上記実施形態におけるランプカバーを取り外したプロジェクターを示す斜視図。
【図３】上記実施形態における画像形成装置の構成を示す模式図。
【図４】上記実施形態における光源装置を示す斜視図。
【図５】上記実施形態における光源装置を示す斜視図。
【図６】上記実施形態におけるランプカバーを示す斜視図。
【図７】上記実施形態におけるランプカバーを示す分解斜視図。
【図８】上記実施形態における第１蓋部材を示す斜視図。
【図９】上記実施形態における第２蓋部材を示す斜視図。
【図１０】上記実施形態における第２蓋部材を示す斜視図。
【図１１】上記実施形態における中間部材を示す斜視図。
【図１２】上記実施形態における中間部材を示す斜視図。
【図１３】上記実施形態におけるプロジェクターを示す断面図。
【図１４】上記実施形態におけるプロジェクターを示す平面図。
【発明を実施するための形態】
【００１９】
以下、本発明の一実施形態について、図面に基づいて説明する。
［プロジェクターの外観構成］
図１は、本実施形態に係るプロジェクター１の外観を示す斜視図である。
本実施形態に係るプロジェクター１は、内部に設けられた光源装置６１（図２）から出射された光を変調して画像情報に応じた画像を形成し、当該画像をスクリーン等の被投射面上に拡大投射する画像表示装置である。このプロジェクター１は、図１に示すように、外装を構成する外装筐体２と、当該外装筐体２内に収容される装置本体と、を備える。
このプロジェクター１は、詳しくは後述するが、光源装置６１を交換可能に構成されている。そして、当該プロジェクター１は、外装筐体２の内部に対して光源装置６１を挿抜するための開口部２１１を開閉するランプカバー４（蓋部材）を有し、当該ランプカバー４が、熱等による一部の構成部材の脱落を抑制可能な構造を有する点を、特徴の１つとしている。
以下、プロジェクター１の各構成について説明する。
【００２０】
［外装筐体の構成］
図２は、外装筐体２を構成する筐体本体３からランプカバー４を取り外したプロジェクター１を示す斜視図である。
外装筐体２は、図１及び図２に示すように、筐体本体３と、当該筐体本体３に対して着脱可能に取り付けられるランプカバー４と、当該筐体本体３に取り付けられる中間部材５（図２）と、を備えて構成される。
筐体本体３は、外装筐体２の上部を構成するアッパーケース３Ａと、下部を構成するロアーケース３Ｂと、正面部を構成するフロントケース３Ｃと、背面部を構成するリアケース３Ｄと、を備え、これらが組み合わされて全体略直方体形状に形成されている。
【００２１】
このような外装筐体２は、天面部２１、底面部２２、正面部２３、背面部２４、左側面部２５及び右側面部２６を有する。そして、天面部２１は、アッパーケース３Ａ及びランプカバー４と、フロントケース３Ｃの一部とによって構成され、底面部２２は、ロアーケース３Ｂによって構成され、正面部２３は、フロントケース３Ｃによって構成され、背面部２４は、リアケース３Ｄによって構成されている。また、左側面部２５及び右側面部２６は、それぞれ、各ケース３Ａ〜３Ｃの一部により構成されている。
【００２２】
なお、以下の説明では、互いに直交する＋Ｘ方向、＋Ｙ方向及び＋Ｚ方向のうち、＋Ｚ方向を背面部２４から正面部２３に向かう方向とし、＋Ｙ方向を底面部２２から天面部２１に向かう方向とし、＋Ｘ方向を左側面部２５から右側面部２６に向かう方向とする。また、＋Ｚ方向とは反対方向を−Ｚ方向とする。−Ｘ方向及び−Ｙ方向も同様である。
このように各方向を規定した場合、プロジェクター１による画像の投射方向は、＋Ｙ方向側から見て＋Ｚ方向に沿う方向となる。
【００２３】
天面部２１における背面部２４側及び左側面部２５側の部位には、図２に示すように、筐体本体３により形成される開口部２１１が位置する。この開口部２１１は、外装筐体２（筐体本体３）の内部に対して光源装置６１を挿抜するための開口部である。この開口部２１１に応じた天面部２１の内面には、中間部材５（図１１）が取り付けられる。この中間部材５の構成については、後に詳述する。
この開口部２１１の周囲には、ランプカバー４の外形形状に応じた凹状のカバー配置部２１２が形成されている。このカバー配置部２１２には、左側面部２５側から嵌め合わせるようにしてランプカバー４が装着される。
このようなカバー配置部２１２における−Ｘ方向側の部位には、＋Ｚ方向側及び−Ｚ方向側のそれぞれの端部近傍に、それぞれ略矩形状の２つの孔部２１２１が形成され、当該２つの孔部２１２１に挟まれる部位に２つの凹部２１２２，２１２３が形成されている。更に、カバー配置部２１２には、−Ｚ方向側の凹部２１２３と連続して略円形状の凹部２１２４が形成されている。この凹部２１２４には、ランプカバー４を当該カバー配置部２１２に固定するねじ（図示省略）が螺合するねじ孔２１２５が形成されている。
そして、ランプカバー４は、左側面部２５側にスライドさせることにより、当該カバー配置部２１２から取り外すことが可能である。すなわち、ランプカバー４は、筐体本体３に対して着脱可能に取り付けられる。このランプカバー４については、後に詳述する。
【００２４】
底面部２２には、設置面に当接される複数の脚部２２１が設けられている。
正面部２３の略中央には、後述する投射光学装置６６の一部を露出させ、画像が通過する開口部２３１が形成されている。また、正面部２３における右側面部２６側の部位には吸気口２３２が形成され、左側面部２５側の部位には排気口２３３が形成されている。
【００２５】
［装置本体の構成］
図３は、装置本体を構成する画像形成装置６の構成を示す模式図である。
装置本体は、プロジェクター１の本体を構成する。この装置本体は、図３に示す画像形成装置６を備える。この他、図示を省略するが、装置本体は、プロジェクター１の動作を制御する制御装置、プロジェクター１を構成する電子部品に電力を供給する電源装置、及び、プロジェクター１を構成する冷却対象を冷却する冷却装置を備える。
【００２６】
［画像形成装置の構成］
画像形成装置６は、上記制御装置による制御の下、画像情報に応じた画像を形成及び投射する。この画像形成装置６は、図３に示すように、光源装置６１、照明光学装置６２、色分離装置６３、リレー装置６４、電気光学装置６５、投射光学装置６６及び光学部品用筐体６７を備え、これらが組み合わされて＋Ｘ方向及び＋Ｚ方向に沿う略Ｌ字状の光学ユニットとして構成されている。
【００２７】
光源装置６１は、照明光学装置６２に向けて＋Ｘ方向に光を出射する。この光源装置６１は、発光管６１１、主反射鏡６１２、平行化レンズ６１３及び収容体７を有する。
発光管６１１は、超高圧水銀ランプ等の光源ランプであり、中心軸が＋Ｘ方向に沿うように配置される。この発光管６１１は、発光部６１１１、当該発光部６１１１から＋Ｘ方向側に延出する封止部６１１２、及び、−Ｘ方向側に延出する封止部６１１３を有する。
発光部６１１１は、＋Ｘ方向における発光管６１１の略中央に位置する。この発光部６１１１内には、放電物質及び一対の電極が封入されて当該一対の電極間で放電発光する放電空間が形成されている。
【００２８】
主反射鏡６１２は、封止部６１１３に取り付けられた反射鏡である。この主反射鏡６１２は、凹曲面状を有する反射面６１２Ａを有し、当該反射面６１２Ａの内側には、上記発光部６１１１が位置する。このような主反射鏡６１２は、当該発光部６１１１から入射される光を、平行化レンズ６１３側に反射させる。
平行化レンズ６１３は、入射される光束を平行化して出射する。
収容体７は、発光管６１１及び主反射鏡６１２を内部に収容する光源用筐体であり、外面に平行化レンズ６１３が取り付けられる。この収容体７については、後に詳述する。
【００２９】
照明光学装置６２は、光源装置６１から出射された光束の中心軸に対する直交面内の照度を均一化する。この照明光学装置６２は、光源装置６１からの光束の入射順に、シネマフィルター６２１、第１レンズアレイ６２２、調光装置６２３、第２レンズアレイ６２４、偏光変換素子６２５及び重畳レンズ６２６を有する。
色分離装置６３は、照明光学装置６２から入射される光束を、赤（Ｒ）、緑（Ｇ）及び青（Ｂ）の３つの色光に分離する。この色分離装置６３は、ダイクロイックミラー６３１，６３２及び反射ミラー６３３を有する。
リレー装置６４は、分離された３つの色光のうち、他の色光に比べて光路が長い赤色光の光路上に設けられる。このリレー装置６４は、入射側レンズ６４１、リレーレンズ６４３及び反射ミラー６４２，６４４を有する。
【００３０】
電気光学装置６５は、分離された各色光を画像情報に応じてそれぞれ変調した後、当該各色光を合成する。この電気光学装置６５は、色光毎にそれぞれ設けられるフィールドレンズ６５１、入射側偏光板６５２、光変調装置としての液晶パネル６５３（赤、緑及び青用の液晶パネルをそれぞれ６５３Ｒ，６５３Ｇ，６５３Ｂとする）及び出射側偏光板６５４と、変調された各色光を合成して投射画像を形成する色合成装置としてのクロスダイクロイックプリズム６５５と、を有する。
投射光学装置６６は、形成された投射画像を拡大投射して、当該投射画像を上記被投射面上に表示させる。この投射光学装置６６は、複数のレンズ（図示省略）と、当該複数のレンズを内部に収納する鏡筒６６１とを備えた組レンズとして構成されている。
【００３１】
光学部品用筐体６７は、詳しい図示を省略するが、光源装置６１が配置される光源収納部６７Ａ（図２）と、各装置６２〜６４を構成する光学部品及びフィールドレンズ６５１が内部に配置される部品収納部材と、当該部品収納部材と組み合わされる蓋状部材と、部品収納部材と組み合わされ、投射光学装置６６を支持する支持部材と、を備える。
このような光学部品用筐体６７には、設計上の光軸である照明光軸Ａｘが設定されており、上記各装置６１〜６６は、当該照明光軸Ａｘにおける所定位置に配置される。このため、光源装置６１から出射される光の中心軸は、照明光軸Ａｘと一致する。
【００３２】
［収容体の構成］
図４は、＋Ｘ方向側、＋Ｙ方向側及び−Ｚ方向側から見た光源装置６１を示す斜視図である。
収容体７は、上記のように、発光管６１１及び主反射鏡６１２を収容するとともに、平行化レンズ６１３が取り付けられる光源用筐体である。この収容体７は、図４に示すように、光源装置６１において光出射側（＋Ｘ方向側）に位置する第１本体部７Ｂ、及び、当該光出射側とは反対側（−Ｘ方向側）に位置する第２本体部７Ｃが組み合わされて構成される収容体本体７Ａと、収容体本体７Ａ（第１本体部７Ｂ）に取り付けられて発光管６１１に冷却気体を導くダクト部材７Ｄと、取付部材７Ｅと、を有する。
【００３３】
このような収容体７は、天面部７１、底面部７２、正面部７３、背面部７４、左側面部７５及び右側面部７６を有する。これらのうち、天面部７１、底面部７２及び右側面部７６は、収容体本体７Ａ及びダクト部材７Ｄによってそれぞれ構成される。また、正面部７３は、第１本体部７Ｂ及び取付部材７Ｅによって構成され、背面部７４は、第２本体部７Ｃによって構成される。更に、左側面部７５は、収容体本体７Ａによって構成される。
そして、光源装置６１が上記光源収納部６７Ａに収容される際には、当該光源装置６１は、天面部７１が天面部２１側（＋Ｙ方向側）を向き、底面部７２が底面部２２側（−Ｙ方向側）を向き、左側面部７５が正面部２３側（＋Ｚ方向側）を向き、右側面部７６が背面部２４側（−Ｚ方向側）を向くように配置される。すなわち、光源装置６１は、左側面部２５側（−Ｘ方向側）から右側面部２６側（＋Ｘ方向側）に光を出射する。
【００３４】
天面部７１は、光源装置６１を把持するための把手７１１を有する。また、天面部７１には、ダクト部材７Ｄにおける第１導風部７Ｄ３の一部が配置される。
底面部７２には、ダクト部材７Ｄにおける第２導風部７Ｄ４の一部が配置される。
正面部７３は、光源装置６１の光出射面を構成する。この正面部７３は、発光管６１１及び主反射鏡６１２から出射された光が通過する通過口（図示省略）を有し、当該通過口を閉塞するように、取付部材７Ｅによって平行化レンズ６１３が配置される。
右側面部７６における正面部７３側の部位には、ダクト部材７Ｄが取り付けられ、当該ダクト部材７Ｄの後述する導入口７Ｄ１が位置する。また、右側面部７６における背面部７４側（−Ｘ方向側）の部位には、主反射鏡６１２の背面側（−Ｘ方向側）の部位や発光管６１１の封止部６１１３を冷却する冷却気体を取り込む開口部７６１が位置する。更に、右側面部７６の略中央には、上記光源収納部６７Ａに設けられたコネクター（図示省略）と接続されるコネクター７６２が設けられている。
【００３５】
ここで、ダクト部材７Ｄについて説明する。
ダクト部材７Ｄは、略Ｃ字状を有し、発光管６１１の中心軸を中心とする周方向に沿って、第１本体部７Ｂに取り付けられる。詳述すると、ダクト部材７Ｄは、発光管６１１の発光部６１１１より＋Ｘ方向側に位置し、右側面部７６、天面部７１及び底面部７２に跨るように取り付けられる。これにより、第１本体部７Ｂの外面とダクト部材７Ｄの内面とにより、冷却気体が流通する流路が形成される。
このようなダクト部材７Ｄは、導入口７Ｄ１、流路切替部材７Ｄ２、第１導風部７Ｄ３及び第２導風部７Ｄ４を有する。
【００３６】
導入口７Ｄ１は、上記右側面部７６に位置し、上記冷却装置を構成するファン（図示省略）から送出された冷却気体をダクト部材７Ｄ内に導入する。
流路切替部材７Ｄ２は、導入口７Ｄ１に応じたダクト部材７Ｄの内側で、かつ、導風部７Ｄ３，７Ｄ４の分岐部分に配置されている。この流路切替部材７Ｄ２は、当該導入口７Ｄ１を介して導入された冷却気体の流通方向を変更し、これにより、当該冷却気体の流路を切り替える。このような流路切替部材７Ｄ２は、詳しい図示を省略するが、自重によって移動する移動体であり、鉛直方向下側に移動することにより、導風部７Ｄ３，７Ｄ４のうち、当該鉛直方向下側に位置するダクト部の少なくとも一部を閉塞し、鉛直方向上側に位置するダクト部に、導入された冷却気体を主に導く。
【００３７】
第１導風部７Ｄ３は、上記分岐部分から右側面部７６に沿って＋Ｙ方向側に延出した後、天面部７１に沿って＋Ｚ方向側に延出している。
第２導風部７Ｄ４は、上記分岐部分から右側面部７６に沿って−Ｙ方向側に延出した後、底面部７２に沿って＋Ｚ方向側に延出している。
そして、各導風部７Ｄ３，７Ｄ４の各終端部分に応じた第１本体部７Ｂの部位には、これら導風部７Ｄ３，７Ｄ４内を流通した冷却気体を、発光管６１１（特に発光部６１１１）に送出する送出口（図示省略）が形成されている。
【００３８】
ここで、第１導風部７Ｄ３に冷却気体が流通する場合は、当該第１導風部７Ｄ３が発光管６１１に対して鉛直方向上側に位置する場合である。このため、当該冷却気体は、発光管６１１（特に発光部６１１１）に対して鉛直方向上側から送出される。
一方、第２導風部７Ｄ４に冷却気体が流通する場合は、当該第２導風部７Ｄ４が発光管６１１に対して鉛直方向上側に位置する場合である。このため、当該冷却気体は、発光管６１１（特に発光部６１１１）に対して鉛直方向上側から送出される。
このように、上記天面部２１，７１が鉛直方向上側を向く姿勢（正置き姿勢）となるようにプロジェクター１が設置される場合でも、上記底面部２２，７２が鉛直方向上側を向く姿勢（逆置き姿勢）となるようにプロジェクター１が設置される場合でも、発光管６１１に対して鉛直方向上側から冷却気体を当該発光管６１１に送出できる。
【００３９】
図５は、−Ｘ方向側、＋Ｙ方向側及び＋Ｚ方向側から見た光源装置６１を示す斜視図である。
左側面部７５は、図５に示すように、＋Ｘ方向側の部位に、上記ダクト部材７Ｄを介して発光管６１１に送出されて当該発光管６１１を冷却した冷却気体を収容体７外に排出する排気口７５１を有する。また、左側面部７５は、−Ｘ方向側の部位に、上記封止部６１１３や主反射鏡６１２における背面側の部位を冷却した冷却気体を収容体７外に排出する開口部７５２を有する。
このように、光源装置６１を冷却する冷却気体の流路は、右側面部７６側（−Ｚ方向側）が上流となり、左側面部７５側（＋Ｚ方向側）が下流となる。このため、光源装置６１においては、−Ｚ方向側の部位の温度は低く、＋Ｚ方向側の部位の温度は高い。
【００４０】
［ランプカバーの構成］
図６は、ランプカバー４を示す斜視図であり、図７は、ランプカバー４を示す分解斜視図である。
ランプカバー４は、図１及び図２に示したように、プロジェクター１の外装の一部を構成する蓋部材である。このランプカバー４は、上記天面部２１に沿って左側面部２５側から＋Ｘ方向側にスライドさせることによって筐体本体３に取り付けられて上記開口部２１１を閉塞し、当該天面部２１に沿って−Ｘ方向側にスライドさせることによって筐体本体３から分離されて当該開口部２１１を開放する。このようなランプカバー４は、図６及び図７に示すように、第１蓋部材４１、第２蓋部材４２、第１被覆部材４３、第２被覆部材４４、第１固定部材４５及び第２固定部材４６を備える。
これらのうち、第１固定部材４５及び第２固定部材４６は、固定具であり、本実施形態では、ねじにより構成されている。
【００４１】
［第１蓋部材の構成］
第１蓋部材４１は、上記天面部２１及び左側面部２５に跨る凹状のカバー配置部２１２にランプカバー４が配置された際に、当該カバー配置部２１２に嵌め合わされる部材である。この第１蓋部材４１において第２蓋部材４２側とは反対側（＋Ｙ方向側）の面である外面４１Ａは、プロジェクター１の外装の一部を構成する。
このような第１蓋部材４１は、天面部２１から左側面部２５に跨る部位と同様に、＋Ｘ方向側から−Ｘ方向側に向かうに従って−Ｙ方向側に緩やかに湾曲した形状を有する。そして、第１蓋部材４１は、当該＋Ｘ方向側の端部における＋Ｚ方向に沿う寸法は、−Ｘ方向側の端部における同方向の寸法より小さく、＋Ｙ方向側から見て略台形状に形成されている。なお、第１蓋部材４１は、筐体本体３と同様の材料により形成されており、当該筐体本体３と同じ色に設定されている。
【００４２】
図８は、第１蓋部材４１を第２蓋部材４２側（−Ｙ方向側）から見た斜視図である。
第１蓋部材４１において第２蓋部材４２側の面である内面４１Ｂには、図８に示すように、起立部４１１、固定部４１２，４１３、係止部４１４，４１５、支持部４１６，４１７及び配置部４１８を有する。
起立部４１１は、略Ｕ字状に内面４１Ｂから−Ｙ方向側に起立している。具体的に、起立部４１１は、内面４１Ｂにおける＋Ｘ方向側の端部近傍に位置し＋Ｚ方向に沿う第１起立部４１１１と、当該第１起立部４１１１における＋Ｚ方向側及び−Ｚ方向側のそれぞれの端部から−Ｘ方向に沿って延出する一対の第２起立部４１１２と、を有する。これらのうち、第１起立部４１１１における＋Ｚ方向及び−Ｚ方向側のそれぞれの端部近傍の位置には、＋Ｘ方向側に突出した一対の突出部４１１３が形成されている。
【００４３】
固定部４１２，４１３は、第２蓋部材４２を固定する部位であり、起立部４１１の内側にそれぞれ設けられている。これらのうち、固定部４１２は＋Ｚ方向側に位置し、固定部４１３は−Ｚ方向側に位置している。
固定部４１２は、位置決め突起４１２１及びボス４１２２を有し、固定部４１３は、位置決め突起４１３１及びボス４１３２を有する。なお、固定部４１２における位置決め突起４１２１及びボス４１２２の位置と、固定部４１３における位置決め突起４１３１及びボス４１３２の位置とは、互いに逆となっている。
これらボス４１２２，４１３２の先端には、ねじ孔４１２３，４１３３が形成されており、当該ねじ孔４１２３，４１３３には、第２蓋部材４２を挿通した第１固定部材４５が、それぞれ固定される。
【００４４】
係止部４１４，４１５は、内面４１Ｂにおいて−Ｘ方向側の端部近傍の位置に形成されている。詳述すると、係止部４１４，４１５は、−Ｙ方向側への湾曲部分において、＋Ｚ方向側の部位及び−Ｚ方向側の部位に＋Ｘ方向側に突設されている。これら係止部４１４，４１５は、上記カバー配置部２１２の孔部２１２１（図２）に挿入される。
支持部４１６，４１７は、係止部４１４，４１５の間にそれぞれ＋Ｘ方向側に突設されている。これらのうち、支持部４１６は、＋Ｚ方向側に位置し、支持部４１７は、−Ｚ方向側に位置する。これら支持部４１６，４１７は、第１蓋部材４１に第２蓋部材４２が組み合わされる際に、当該第２蓋部材４２における−Ｘ方向側の端部を支持するとともに、上記凹部２１２２，２１２３にそれぞれ挿入される。
【００４５】
配置部４１８は、支持部４１７と一体的に形成されており、第１蓋部材４１（ランプカバー４）をカバー配置部２１２に固定するねじが配置される部位である。この配置部４１８は、＋Ｘ方向に沿って当該ねじＳＣが挿通する挿通孔４１８１を有する他、当該ねじＳＣの頭部が内側に配置される凹部４１８２（図１及び図２）を外面４１Ａに有する。なお、当該ねじＳＣは、上記ねじ孔２１２５（図２）に螺合する。
【００４６】
［第２蓋部材の構成］
図９は、−Ｘ方向側、＋Ｙ方向側及び−Ｚ方向側から見た第２蓋部材４２を示す斜視図である。
第２蓋部材４２は、第１固定部材４５によって第１蓋部材４１の内面４１Ｂに固定される。この第２蓋部材４２は、ランプカバー４が上記カバー配置部２１２に装着された際には、開口部２１１内に配置されて、当該第１蓋部材４１への熱の伝導及び光の入射を抑制する。このような第２蓋部材４２は、第１蓋部材４１より耐熱性が高い材料（耐熱性材料）により形成され、当該第２蓋部材４２の色は、暗色（本実施形態では黒）に設定されている。また、第２蓋部材４２における−Ｘ方向側の端部は、図９に示すように、−Ｘ方向側に向かうに従って−Ｙ方向側に緩やかに湾曲している。
【００４７】
このような第２蓋部材４２は、第１蓋部材４１と対向する面４２Ａ（＋Ｙ方向側の面４２Ａ）に、起立部４２１及び凹部４２２を有する。
起立部４２１は、面４２Ａにおける＋Ｚ方向側及び−Ｚ方向側の端部に、＋Ｘ方向に沿って当該面４２Ａから＋Ｙ方向に起立している。これら起立部４２１における＋Ｙ方向側の端面４２１Ａは、第２蓋部材４２が第１蓋部材４１と組み合わされた際に、上記内面４１Ｂに当接する。この際、各起立部４２１は、上記一対の第２起立部４１１２の外側（固定部４１２，４１３の配置側とは反対側）に配置される。これら起立部４２１における−Ｘ方向側の端部は、それぞれ外側に屈曲しており、当該屈曲部分の内側には、一対の第２起立部４１１２における−Ｘ方向側の端部が配置される。
凹部４２２は、面４２Ａの＋Ｚ方向における略中央に略矩形に形成されている。
【００４８】
図１０は、＋Ｘ方向側、−Ｙ方向側及び＋Ｚ方向側から見た第２蓋部材４２を示す斜視図である。
一方、第２蓋部材４２における第１蓋部材４１とは反対側（−Ｙ方向側）の面４２Ｂの略中央には、図１０に示すように、上記凹部４２２に応じて−Ｙ方向側に突出した略矩形状の突出部４２３が形成されている。そして、第２蓋部材４２は、当該面４２Ｂ側に、起立部４２４、配置部４２５，４２６及び規制部４２７を有する。
【００４９】
起立部４２４は、面４２Ｂにおいて＋Ｚ方向側の端部、及び、−Ｚ方向側の端部に位置し、それぞれ−Ｙ方向側に起立しつつ＋Ｘ方向（筐体本体３へのランプカバー４の装着方向）に沿って延出している。これら起立部４２４は、ランプカバー４が筐体本体３に装着される際に、後述する中間部材５が有するガイド部５１３１，５１４１の底部に沿ってそれぞれ摺動する。これらにより、筐体本体３へのランプカバー４のスライド、ひいては、当該ランプカバー４の着脱が案内される。
なお、これら起立部４２４のうち、−Ｚ方向側に位置する起立部４２４の略中央には、−Ｙ方向側に更に突出した突出部４２４１が形成されている。この突出部４２４１は、ガイド部５１４１に設けられた一対のスイッチＳ（図１１及び図１２）の間に挿入され、これにより、当該一対のスイッチＳによってランプカバー４の装着を検出させる部位である。なお、本実施形態において、一対のスイッチＳは、機械的な接触によって、ランプカバー４の装着を検出するが、光センサー等によってランプカバー４の装着を検出してもよい。
【００５０】
配置部４２５，４２６は、上記突出部４２３における＋Ｚ方向側の部位と、−Ｚ方向側の部位にそれぞれ＋Ｙ方向側に凹む凹状で、かつ、略矩形状に形成されている。
＋Ｚ方向側に位置する配置部４２５は、−Ｚ方向側に位置する配置部４２６より＋Ｘ方向及び＋Ｚ方向の寸法が大きい。この配置部４２５は、当該配置部４２５の内側の部位における＋Ｚ方向側の部位に、更に凹状に凹む凹部４２５１を有する。
この凹部４２５１の底部には、図９に示すように、第１蓋部材４１における上記位置決め突起４１２１が挿入される孔部４２５２と、上記ねじ孔４１２３に固定される第１固定部材４５が挿通する挿通孔４２５３と、が形成されている。すなわち、当該挿通孔４２５３を挿通する第１固定部材４５の頭部（ねじの頭部）は、凹部４２５１内に位置する。
【００５１】
また、配置部４２５は、図１０に示すように、−Ｘ方向側及び＋Ｚ方向側の隅部に位置する位置決め突起４２５４及びねじ孔４２５５と、＋Ｘ方向側及び−Ｚ方向側の隅部に位置する位置決め突起４２５４及びねじ孔４２５５と、を有する。これら位置決め突起４２５４は、配置部４２５に応じて略矩形状に形成された第１被覆部材４３の各隅部に挿入され、当該第１被覆部材４３を配置部４２５に位置決めする。また、各ねじ孔４２５５には、位置決めされた第１被覆部材４３を−Ｙ方向側から挿通する第２固定部材４６が螺合する。これにより、第１被覆部材４３が、配置部４２５に嵌め込まれるようにして固定される。
【００５２】
−Ｚ方向側に位置する配置部４２６は、当該配置部４２６の内側における＋Ｘ方向側の部位に、更に凹状に凹む凹部４２６１を有する。この凹部４２６１の底部には、図９に示すように、第１蓋部材４１における上記位置決め突起４１３１が挿入される孔部４２６２と、ねじ孔４１３３に固定される第１固定部材４５が挿通する挿通孔４２６３と、が形成されている。すなわち、当該挿通孔４２６３を挿通する第１固定部材４５の頭部（ねじの頭部）は、凹部４２６１内に位置する。
また、配置部４２６は、図１０に示すように、第２被覆部材４４を位置決めする２つの位置決め突起４２６４と、当該２つの位置決め突起４２６４に挟まれるねじ孔４２６５と、を有する。これらのうち、ねじ孔４２６５には、配置部４２６に嵌め込まれるように配置された第２被覆部材４４を挿通した第２固定部材４６が固定される。
【００５３】
規制部４２７は、配置部４２５，４２６との間で、かつ、配置部４２６側の部位に、−Ｙ方向側に突出している。この規制部４２７は、光源収納部４７Ａ内に完全に挿入（装着）されていない状態の光源装置６１に当接して、筐体本体３へのランプカバー４の装着を規制する。なお、規制部４２７は、光源装置６１が筐体本体３に完全に挿入（装着）された状態では、当該光源装置６１に当接しない程度の突出量に設定されている。
【００５４】
このような第２蓋部材４２は、図９及び図１０に示すように、＋Ｘ方向側の部位に挿入部４２８を有する。この挿入部４２８は、ＸＺ平面に略沿う平面部であり、ランプカバー４を−Ｚ方向側から見た際に、＋Ｘ方向における位置が第１蓋部材４１における＋Ｘ方向側の端部と略同じとなるように、突出部４２３からＸ方向側への突出量が設定されている。この挿入部４２８は、ランプカバー４が筐体本体３に取り付けられた際には、上記開口部２１１の内側（光源装置６１側）端縁に位置する隙間部２１３（図２及び図１３）に挿入され、これにより、当該筐体本体３内の光が、第１蓋部材４１側に進行することが抑制される。
【００５５】
［被覆部材の構成］
第１被覆部材４３及び第２被覆部材４４は、本発明の被覆部材に相当する。これら被覆部材４３，４４は、図６及び図７に示したように、それぞれ略矩形板状に形成された金属製部材である。そして、第１被覆部材４３は、上記配置部４２５内に−Ｙ方向側から嵌め込まれ、第２被覆部材４４は、上記配置部４２６内に−Ｙ方向側から嵌め込まれる。
これらのうち、第１被覆部材４３は、第２被覆部材４４より＋Ｘ方向及び＋Ｙ方向の寸法が大きく形成されている。この第１被覆部材４３は、＋Ｘ方向側及び−Ｚ方向側の隅部、並びに、−Ｘ方向側及び＋Ｚ方向側の隅部に、上記位置決め突起４２５４が挿入される孔部４３１と、上記ねじ孔４２５５に固定される第２固定部材４６が挿通する挿通孔４３２と、をそれぞれ有する。
また、第２被覆部材４４は、＋Ｘ方向側の端部に、上記２つの位置決め突起４２６４が挿入される孔部４４１と、ねじ孔４２６５に固定される第２固定部材４６が挿通する挿通孔４４２と、を有する。
【００５６】
［ランプカバーの組立］
上記ランプカバー４は、以下のように組み立てられる。
まず、図７に示したように、第１蓋部材４１と第２蓋部材４２とを組み合わせる。この際、第１蓋部材４１の内面４１Ｂに位置する位置決め突起４１２１，４１３１が、第２蓋部材４２の配置部４２５，４２６に位置する孔部４２５２，４２６２に挿入されるようにして、第１蓋部材４１に対して第２蓋部材４２を位置決めする。この状態で、同じく配置部４２５，４２６に位置する挿通孔４２５３，４２６３を−Ｙ方向側から挿通した第１固定部材４５を、第１蓋部材４１のねじ孔４１２３，４１３３に固定する。これにより、第１蓋部材４１に対して第２蓋部材４２が固定される。
【００５７】
次に、第２蓋部材４２の２つの位置決め突起４２５４が第１被覆部材４３の孔部４３１に挿入されるようにして、当該配置部４２５に第１被覆部材４３を配置する。同様に、第２蓋部材４２の２つの位置決め突起４２６４が第２被覆部材４４の孔部４４１に挿入されるようにして、当該配置部４２６に第２被覆部材４４を配置する。
この状態で、各被覆部材４３，４４の挿通孔４３２，４４２を−Ｙ方向側から挿通した第２固定部材４６を、配置部４２５，４２６のねじ孔４２５５，４２６５に螺合させて固定する。これにより、第１被覆部材４３及び第２被覆部材４４が、それぞれ第１固定部材４５を覆うように、対応する配置部４２５，４２６に固定される。
以上により、ランプカバー４が組み立てられる。
【００５８】
［中間部材の構成］
図１１は、−Ｘ方向側、＋Ｙ方向側及び＋Ｚ方向側から見た中間部材５を示す斜視図であり、図１２は、＋Ｘ方向側、＋Ｙ方向側及び−Ｚ方向側から見た中間部材５を示す斜視図である。
中間部材５は、図２に示すように、筐体本体３を構成するアッパーケース３Ａ及びロアーケース３Ｂに固定され、上記開口部２１１の内側端縁における−Ｙ方向側の部位を形成する。この中間部材５は、図１１及び図１２に示すように、上記第２蓋部材４２と同様の材料、すなわち、筐体本体３及び第１蓋部材４１より耐熱性が高い材料により、＋Ｙ方向側から見て略矩形枠状に形成されている。また、中間部材５の色は、上記第２蓋部材４２と同様に、暗色（本実施形態では黒）に設定されている。
このような中間部材５は、枠部５１、固定部５２及び突出部５３を有する。
【００５９】
枠部５１は、それぞれ＋Ｘ方向側、−Ｘ方向側、＋Ｚ方向側及び−Ｚ方向側に位置する４つの側面部５１１〜５１４を有し、これらにより矩形枠状に形成されている。
図１１に示すように、＋Ｘ方向側に位置する側面部５１１は、＋Ｚ方向における略中央に−Ｙ方向側に突出する突出部５１１１を有し、当該突出部５１１１には、略矩形の複数の孔部５１１２が＋Ｚ方向に沿って並んで配置されている。これら孔部５１１２は、上記画像形成装置６に対して＋Ｙ方向側に配置される制御装置（図示省略）を冷却した冷却気体の一部が通過し、当該冷却気体の一部は、光源装置６１の天面部７１に沿って流通した後＋Ｚ方向側に流通する。
【００６０】
＋Ｚ方向側に位置する側面部５１３、及び、−Ｚ方向側に位置する側面部５１４は、それぞれ、ランプカバー４のスライドを案内するガイド部５１３１，５１４１を有する。
側面部５１３のガイド部５１３１は、＋Ｚ方向において互いに所定の間隔を空けて配置される起立壁５１３２，５１３３を有する。
起立壁５１３２は、側面部５１３において＋Ｚ方向側の端縁に沿って＋Ｙ方向側に起立している。この起立壁５１３２は、側面部５１３における−Ｘ方向側の端部から＋Ｘ方向側に向かうに従って＋Ｙ方向側に起立した後、当該＋Ｙ方向への起立寸法が一定となるように形成されている。そして、当該起立壁５１３２は、−Ｘ方向側の端部から側面部５１３の＋Ｘ方向における寸法の略２／３を過ぎた辺りまで形成されている。
起立壁５１３３は、起立壁５１３２に対して−Ｚ方向側に配置されている。この起立壁５１３３は、側面部５１３における＋Ｘ方向側の部位に形成され、＋Ｚ方向側から見て、起立壁５１３２と一部が重なる。すなわち、＋Ｘ方向に沿う方向において、起立壁５１３２と起立壁５１３３とは一部が重なっている。
そして、ランプカバー４が上記カバー配置部２１２に対して着脱される際に、上記第２蓋部材４２における＋Ｚ方向側の起立部４２４が、これら起立壁５１３２，５１３３の間の底部（ガイド部５１３１のＸＺ平面に略沿う平面部）を±Ｘ方向にスライドする。
【００６１】
側面部５１４のガイド部５１４１は、当該側面部５１４における＋Ｘ方向の略中央において＋Ｚ方向に互いに対向する起立壁５１４２，５１４３を有する。起立壁５１４２は、−Ｚ方向側に配置され、起立壁５１４３は、当該起立壁５１４２に対して＋Ｚ方向側に所定の間隔を空けて配置されている。そして、ランプカバー４が上記カバー配置部２１２に対して着脱される際に、上記第２蓋部材４２における−Ｚ方向側の起立部４２４が、これら起立壁５１４２，５１４３の間の底部を±Ｘ方向にスライドする。
このような起立壁５１４２，５１４３には、上記一対のスイッチＳが配設されている。そして、当該一対のスイッチＳの間には、上記カバー配置部２１２にランプカバー４が装着された際に、上記起立部４２４の突出部４２４１が位置する。これにより、ランプカバー４の装着が、当該一対のスイッチＳによって検出される。
【００６２】
なお、ガイド部５１４１の底部には、詳しい図示を省略するが、挿通孔５１４４が形成されている。また、側面部５１４における−Ｘ方向側の端部には、ガイド部５１４１の底部より−Ｙ方向側に凹んだ段差部５１４５が形成されており、当該段差部５１４５には挿通孔５１４６が形成されている。これら挿通孔５１４４，５１４６には、＋Ｙ方向側からねじ（図示省略）が挿通し、これにより、中間部材５が筐体本体３に固定される。
【００６３】
固定部５２は、筐体本体３に固定される部位である。この固定部５２は、＋Ｚ方向側に位置する上記側面部５１３から＋Ｚ方向側に突出しており、当該固定部５２においてＸＺ平面に沿う平坦部５２１に、挿通孔５２２が形成されている。この挿通孔５２２には、上記挿通孔５１４４，５１４６と同様に、＋Ｙ方向側からねじ（図示省略）が挿通し、これにより、中間部材５が筐体本体３に固定される。
【００６４】
突出部５３は、側面部５１１における＋Ｙ方向側の端部から＋Ｘ方向側に平面状に突出している。この突出部５３は、中間部材５が筐体本体３に固定された場合に、開口部２１１の内側端縁において＋Ｙ方向側の部位を構成する筐体本体３の枠部３１（図１３）との間に、隙間部２１３（図１３）を形成する。
【００６５】
［開口部の構成］
図１３は、筐体本体３にランプカバー４が装着されたプロジェクター１のＸＹ平面に沿う断面を＋Ｚ方向側から見た図である。
ここで、ランプカバー４によって閉塞される開口部２１１について説明する。
光源装置６１が挿抜される上記開口部２１１の内側端縁は、図２及び図１３に示すように、上記光学部品用筐体６７を構成して光源装置６１が収納される箱状の光源収納部６７Ａに向かって延出している。この内側端縁は、筐体本体３が有する矩形状の枠部３１と、当該筐体本体３に取り付けられる上記中間部材５の枠部５１とにより形成される。
【００６６】
これら枠部３１と枠部５１とが組み合わされた際には、図２及び図１３に示すように、枠部３１において＋Ｘ方向側に位置する側面部３１１及び−Ｚ方向側に位置する側面部３１２（図２）のそれぞれにおける−Ｙ方向側の端部と、上記中間部材５の突出部５３における＋Ｙ方向側の端部との間に、図１３に示すように、開口部２１１の径方向外側の方向である＋Ｘ方向（第１方向）及び−Ｚ方向に向かって凹み、上記第２蓋部材４２の挿入部４２８を挿入可能な隙間部２１３が形成される。
そして、ランプカバー４が筐体本体３に取り付けられる際に、挿入部４２８が隙間部２１３に挿入されることにより、第２蓋部材４２に対して−Ｙ方向側に位置する光源装置６１から出射された光のうち、第１蓋部材４１側に進行する光が挿入部４２８によって遮蔽され、当該光が第１蓋部材４１側に進行することを抑制できる。これにより、当該光が、ランプカバー４と筐体本体３との間の隙間から外装筐体２外に漏出することが抑制される。
なお、このようにランプカバー４がカバー配置部２１２に装着された状態では、光源装置６１側から見て、第１蓋部材４１は、耐熱性が高い材料により形成された第２蓋部材４２により覆われる。これにより、光源装置６１等から放出された熱や、当該光源装置６１から出射された光から、第１蓋部材４１を保護できる。
【００６７】
［被覆部材の配置］
外装筐体２（筐体本体３）内に収容された光源装置６１においては、上記のように、発光管６１１及び主反射鏡６１２を冷却する冷却気体は、−Ｚ方向側から＋Ｚ方向側に流通する。また、図示を省略するが、外装筐体２内において光源装置６１に対する＋Ｚ方向側の部位に、当該光源装置６１や他の冷却対象を冷却した冷却気体を上記排気口２３３から外装筐体２外に排出する排気ダクト及び排気ファンが設けられている。このため、光源装置６１における冷却気体の流路における下流側である＋Ｚ方向側の部位は、上流側である−Ｚ方向側の部位より温度が高くなりやすい。
【００６８】
図１４は、筐体本体３からランプカバー４を取り外したプロジェクター１を＋Ｙ方向側から見た平面図である。
これに対し、図１４に示すように、ランプカバー４において光源装置６１と対向する第２蓋部材４２の面４２Ｂに設けられる被覆部材４３，４４のうち、＋Ｚ方向側の部位に配置される第１被覆部材４３は、−Ｚ方向側の部位に配置される第２被覆部材４４より＋Ｚ方向及び＋Ｘ方向の寸法が大きい。このため、第１被覆部材４３の熱容量は、第２被覆部材４４の熱容量よりも大きくなる。従って、光源装置６１や上記冷却気体から伝導される熱による第１被覆部材４３の温度上昇を抑制できる。
【００６９】
［実施形態の効果］
以上説明した本実施形態に係るプロジェクター１によれば、以下の効果がある。
筐体本体３において光源装置６１が挿抜される開口部２１１を閉塞する蓋部材としてのランプカバー４は、外装の一部を構成する第１蓋部材４１と、当該第１蓋部材４１に固定される第２蓋部材４２を有し、当該第２蓋部材４２は、開口部２１１内に位置する。これによれば、光源装置６１と第１蓋部材４１との間に介在配置される第２蓋部材４２によって、光源装置６１から出射された光の一部が第１蓋部材４１に入射されたり、当該光源装置６１の熱が第１蓋部材４１に伝わったりすることを抑制できる。従って、外装の一部を構成する第１蓋部材４１に変形及び変色が生じることを抑制できる。
また、第１蓋部材４１側とは反対側（−Ｙ方向側）から第２蓋部材４２を見て、第１蓋部材４１に第２蓋部材４２を固定する第１固定部材４５は、第２蓋部材４２に固定される被覆部材４３，４４により覆われる。これによれば、第１固定部材４５への光の入射及び熱の伝導を抑制できる。従って、上記固定部４１２，４１３の変形を抑制でき、第１蓋部材４１からの第２蓋部材４２の脱落を抑制できる。
そして、第２固定部材４６によって被覆部材４３，４４が固定される第２蓋部材４２は、第１蓋部材４１より耐熱性の高い材料によって形成されている。このため、第２蓋部材４２において第２固定部材４６が固定される部位の熱による変形を抑制できる。従って、第２蓋部材４２からの被覆部材４３，４４の脱落を抑制できる。
よって、上記構成が一体化されたランプカバー４により、上記開口部２１１を容易に開閉できるので、光源装置６１の交換作業を簡略化できる。
【００７０】
第１蓋部材４１は、第１固定部材４５によって第２蓋部材４２を固定する２つの固定部４１２，４１３を有し、被覆部材４３，４４は、固定部４１２，４１３に応じて設けられている。これによれば、１つの被覆部材によって固定部４１２，４１３が覆われる場合に比べて、第２蓋部材４２に設けられる被覆部材４３，４４の面積を小さくすることができる。従って、被覆部材４３，４４を有するランプカバー４を軽量化でき、ひいては、プロジェクター１の重量増加を抑制できる。
【００７１】
ここで、光源装置６１を流通する冷却気体の流路における下流側の部位は、上流側の部位より温度が高い。このため、光源装置６１に対向する第２蓋部材４２の面４２Ｂにおいて、当該下流側の部位に応じた部位は、上流側の部位に応じた部位に比べて温度が高くなりやすい。
これに対し、被覆部材４３，４４のうち、上記流路における下流側（＋Ｚ方向側）の部位に応じて配置される第１被覆部材４３は、上流側の部位に応じて配置される第２被覆部材４４より寸法が大きいことにより、第１被覆部材４３の熱容量は、第２被覆部材４４の熱容量より大きい。これによれば、第１被覆部材４３の温度上昇を抑制できる。従って、第１被覆部材４３を介して第２蓋部材４２に熱を伝わりにくくすることができ、第２蓋部材４２の変形や、第１被覆部材４３の脱落を抑制できる。
なお、第２被覆部材４４は、上記下流側の部位より温度が低い上流側の部位に応じて配置されるので、熱容量が第１被覆部材４３より小さくても、当該第２被覆部材４４の温度上昇を抑制できる。従って、第２被覆部材４４の脱落を抑制できる。
【００７２】
第１被覆部材４３は、第２被覆部材４４に比べて開口部２１１側（−Ｙ方向側）から見た場合の寸法が大きい。これによれば、第１被覆部材４３の熱容量を、第２被覆部材４４の熱容量より容易に大きくすることができる。従って、熱容量を異ならせるために、第１被覆部材４３及び第２被覆部材４４を異なる材料により形成する場合に比べて、これら被覆部材４３，４４を簡易に構成できる。
【００７３】
第２蓋部材４２の色は、暗色である黒である。これによれば、光源装置６１から出射された光の一部が第２蓋部材４２に入射される場合に、第２蓋部材４２での光の散乱を抑制できる。従って、当該光が第１蓋部材４１側に進行することを抑制でき、ひいては、第１蓋部材４１と開口部２１１の端縁との隙間、更には、ランプカバー４とカバー配置部２１２との間の隙間から光が外装筐体２の外部に漏出することを抑制できる。
【００７４】
外装筐体２は、筐体本体３と組み合わされて開口部２１１の内側端縁のうち−Ｙ方向側の部位を形成する中間部材５を備える。この中間部材５は、筐体本体３より耐熱性が高い材料により形成され、当該中間部材５と筐体本体３との間には、隙間部２１３が形成されている。そして、第２蓋部材４２は、当該隙間部２１３に挿入される挿入部４２８を有する。これによれば、光源装置６１から第１蓋部材４１側に進行する光を、当該挿入部４２８により遮蔽できる。従って、当該光が外装筐体２の外部に漏出することを抑制できる。この他、筐体本体３に中間部材５を組み合わせることによって、当該挿入部４２８が挿入される隙間部２１３を簡易に形成できる。
【００７５】
中間部材５は、第２蓋部材４２とともに、第１蓋部材４１より耐熱性が高い材料により形成されている。これによれば、これら第２蓋部材４２及び中間部材５の変形を抑制でき、これらの隙間から光が第１蓋部材４１側に進行することを抑制できる。また、これにより、第１蓋部材４１を形成する材料、及び、筐体本体３を形成する材料の選択自由度を高めることができる。
【００７６】
ランプカバー４は、筐体本体３に対して＋Ｘ方向に沿ってスライドさせることにより筐体本体３に取り付けられ、中間部材５は、ランプカバー４のスライドをガイドするガイド部５１３１，５１４１を有する。これによれば、ランプカバー４を＋Ｘ方向に沿ってスライドさせることにより、上記隙間部２１３への挿入部４２８の挿入と、筐体本体３へのランプカバー４の取付とを確実かつ容易に実施できる。従って、筐体本体３に対するランプカバー４の着脱、ひいては、開口部２１１の開閉を容易に実施できるので、光源装置６１の交換作業を簡略化できる。
【００７７】
中間部材５の色は、暗色である黒である。これによれば、第２蓋部材４２の場合と同様に、光源装置６１から出射された光の一部が中間部材５に入射される場合に、当該中間部材５に入射された光が散乱することを抑制できる。従って、第１蓋部材４１側に光が進行することを抑制でき、上記のように、当該光が外装筐体２の外部に漏出することを抑制できる。
【００７８】
［実施形態の変形］
本発明は、上記実施形態に限定されるものではなく、本発明の目的を達成できる範囲での変形、改良等は本発明に含まれるものである。
上記実施形態では、筐体本体３が有するカバー配置部２１２にランプカバー４が装着（配置）された場合、光源収納部６７Ａに収納された光源装置６１側から見て、第１蓋部材４１は、第２蓋部材４２によって覆われるとした。しかしながら、これに限らず、光源装置６１側から見て、第１蓋部材４１の少なくとも一部が第２蓋部材４２によって覆われればよい。
【００７９】
上記実施形態では、第１固定部材４５及び第２固定部材４６は、ねじであるとした。しかしながら、これに限らず、第１蓋部材４１に第２蓋部材４２を固定できれば、第１固定部材４５は、他の固定具であってもよい。同様に、第２蓋部材４２に被覆部材４３，４４を固定できれば、第２固定部材４６は、他の固定具であってもよい。
【００８０】
上記実施形態では、第１蓋部材４１は、第２蓋部材４２を固定する２つの固定部４１２，４１３を有するとした。しかしながら、これに限らず、第１蓋部材４１が有する固定部の数は、１つでもよく、３つ以上でもよい。一方、ランプカバー４は、上記２つの固定部４１２，４１３及び第１固定部材４５を覆う２つの被覆部材４３，４４を有するとした。しかしながら、これに限らず、被覆部材の数は、１つでもよく、３つ以上でもよい。
【００８１】
上記実施形態では、光源装置６１を冷却する冷却気体の流路における下流側の部位に応じて配置される第１被覆部材４３は、上流側の部位に応じて配置される第２被覆部材４４より寸法が大きく、熱容量が大きいとした。しかしながら、これに限らず、各被覆部材４３，４４の温度上昇が、第２蓋部材４２の変形等の劣化を生じない程度の温度上昇であれば、各被覆部材の寸法（＋Ｙ方向の寸法を含む）及び熱容量は、適宜変更可能である。例えば、各被覆部材４３，４４の寸法や熱容量は同じでもよく、第１被覆部材４３より第２被覆部材４４の方が寸法及び熱容量が大きくてもよい。被覆部材が３つ以上設けられる場合も同様である。
【００８２】
上記実施形態では、第２蓋部材４２の色、及び、中間部材５の色は、黒であるとした。しかしながら、これに限らず、これらの色は他の色でもよい。一方、入射される光の散乱等を考慮すれば、当該色は、暗色であることが好ましい。
【００８３】
上記実施形態では、外装筐体２は、筐体本体３に中間部材５が取り付けられることにより、当該中間部材５と筐体本体３の枠部３１との間に形成される隙間部２１３を有し、ランプカバー４は、当該隙間部２１３に挿入される挿入部４２８を有するとした。しかしながら、これに限らず、これら隙間部２１３及び挿入部４２８は無くてもよい。また、隙間部２１３の位置は、開口部２１１の内側端縁においてランプカバー４のスライド方向側である＋Ｘ方向側の位置でなくてもよく、例えば、＋Ｚ方向側及び−Ｚ方向側の少なくともいずれかでもよい。
【００８４】
上記実施形態では、外装筐体２を構成する筐体本体３は枠部３１を有し、中間部材５は、当該枠部３１とともに開口部２１１の内側端縁を形成するとした。しかしながら、これに限らず、中間部材５はなくてもよい。例えば、筐体本体３のみによって、開口部２１１の内側端縁が形成されてもよい。更に、枠部３１は筐体本体３に対して別体であってもよい。
【００８５】
上記実施形態では、中間部材５は、ランプカバー４の＋Ｘ方向側及び−Ｘ方向側へのスライドを案内するガイド部５１３１，５１４１を有するとした。しかしながら、これに限らず、中間部材５にガイド部５１３１，５１４１は無くてもよい。一方、筐体本体３が、ランプカバー４のスライドを案内するガイド部を有する構成としてもよい。例えば、カバー配置部２１２に、当該ガイド部が位置していてもよい。
【００８６】
上記実施形態では、蓋部材としてのランプカバー４は、外装筐体２（筐体本体３）に対してスライドして着脱可能に構成した。しかしながら、これに限らず、蓋部材は、光源装置が挿抜される開口部を開閉可能に外装筐体に取り付けられていてもよい。例えば、蓋部材は、外装筐体に回動可能に取り付けられ、回動軸側とは反対側の一端が外装筐体に近接する方向に回動することにより、上記開口部を閉塞し、当該一端が外装筐体から離間する方向に回動することにより、当該開口部を開放する構成としてもよい。また、蓋部材は、筐体本体に対してスライド又は回動して開口部を開閉するものの、当該筐体本体に対して取り付けられた状態が維持される構成であってもよい。すなわち、蓋部材は、必ずしも筐体本体から取り外される構成でなくてもよい。また、筐体本体から取り外される場合でも、蓋部材は、当該筐体本体に対してスライド以外の方法によって取り外される構成であってもよい。
【００８７】
上記実施形態では、プロジェクター１は、光変調装置として３つの液晶パネル６５３（６５３Ｂ，６５３Ｇ，６５３Ｒ）を備えるとした。しかしながら、これに限らず、２つ以下、或いは、４つ以上の液晶パネルを備えたプロジェクターにも、本発明を適用可能である。
上記実施形態では、画像形成装置６は平面視略Ｌ字形状を有する構成とした。しかしながら、これに限らず、画像形成装置６は、例えば平面視略Ｕ字形状を有する構成等、他の形状を有する構成としてもよい。また、画像形成装置６に適用される光学部品も、上記に限らず、適宜変更可能である。
【００８８】
上記実施形態では、光変調装置として、光入射面と光出射面とが異なる透過型の液晶パネル６５３を採用した。しかしながら、これに限らず、光変調装置として、光入射面と光出射面とが同一となる反射型の液晶パネルを採用してもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
上記実施形態では、光源装置６１は、光源としての発光管６１１と、当該発光管６１１から出射された光を反射させる反射鏡である主反射鏡６１２とを有する構成とした。しかしながら、これに限らず、光源装置は、光源としてＬＥＤ（Light Emitting Diode）及びＬＤ（Laser Diode）等の固体光源を有する構成としてもよい。また、光源として発光管６１１が採用される場合には、上記発光部６１１１において主反射鏡６１２側とは反対側の部分を覆い、当該発光部６１１１から入射される光を主反射鏡６１２側に反射させる副反射鏡を設けてもよい。更に、光源装置の数は２つ以上でもよい。
【００８９】
上記実施形態では、光源装置６１を内部に収容する開口部２１１と、当該開口部２１１を開閉するランプカバー４と、を有する外装筐体２を、プロジェクター１に採用した例を挙げた。しかしながら、これに限らず、照明装置に、本発明を適用してもよい。
【符号の説明】
【００９０】
１…プロジェクター、２…外装筐体、２１１…開口部、２１３…隙間部、３…筐体本体、４…ランプカバー（蓋部材）、４１…第１蓋部材、４１１…起立部、４１１１…第１起立部、４１１２…第２起立部、４１１３…突出部、４１２，４１３…固定部、４１２１，４１３１…位置決め突起、４１２２，４１３２…ボス、４１２３，４１３３…ねじ孔、４１４…係止部、４１Ｂ…内面、４２…第２蓋部材、４２１…起立部、４２３…突出部、４２４…起立部、４２４１…突出部、４２５，４２６…配置部、４２５１，４２６１…凹部、４２５４，４２６４…位置決め突起、４２５５，４２６５…ねじ孔、４２７…規制部、４２８…挿入部、４３…第１被覆部材（被覆部材）、４３１…孔部、４３２…挿通孔、４４…第２被覆部材（被覆部材）、４４１…孔部、４４２…挿通孔、４５…第１固定部材、４６…第２固定部材、５…中間部材、５１３１，５１４１…ガイド部。
【図１】
0006617639.tif 000002
【図２】
0006617639.tif 000003
【図３】
0006617639.tif 000004
【図４】
0006617639.tif 000005
【図５】
0006617639.tif 000006
【図６】
0006617639.tif 000007
【図７】
0006617639.tif 000008
【図８】
0006617639.tif 000009
【図９】
0006617639.tif 000010
【図１０】
0006617639.tif 000011
【図１１】
0006617639.tif 000012
【図１２】
0006617639.tif 000013
【図１３】
0006617639.tif 000014
【図１４】
0006617639.tif 000015